(57)【要約】【課題】着座した状態で他の作業を行いながらストレッチを行うことができ、体力を必要とせず、腹筋側を主動筋として緊張させ、背筋側を拮抗筋として弛緩させて筋力のバランスを回復させることができる筋肉ストレッチ用バンドを提供する。【解決手段】本筋肉ストレッチ用バンド１は、長手方向に延びて形成されたベルト本体２の両端部を着脱可能に結合されるものであり、ベルト本体２は、椅子３の座部３ａに着座している着座者４の背部４ａに沿って所定の間隔を隔てて設置された背もたれ部３ｂ（支持部材）に巻かれて支持され、その両端部の結合部分が着座者４の心窩部（みぞおち）４ｂ付近に接触した状態で装着される。【選択図】  図２
2014018590.tif 000002
【特許請求の範囲】
【請求項１】
長手方向に延びて形成されたベルト本体の両端部を着脱可能に結合される筋肉ストレッチ用バンドであって、
前記ベルト本体は、着座者の背部に沿って所定の間隔を隔てて設置された支持部材に支持され、前記ベルト本体の両端部の結合部分が前記着座者の心窩部付近に接触した状態で装着され、
前記ベルト本体の少なくとも裏面は、前記支持部材に接触する一部又は全部に滑り止め部材が被覆されている、
ことを特徴とする筋肉ストレッチ用バンド。
【請求項２】
前記ベルト本体は、全体が長手方向に伸縮可能な材質で作られていることを特徴とする請求項１に記載の筋肉ストレッチ用バンド。
【請求項３】
前記ベルト本体の両端部の一方又は他方に面ファスナーが取り付けられていることを特徴とする請求項１又は２に記載の筋肉ストレッチ用バンド。
【請求項４】
前記ベルト本体の両端部の一方及び又は他方は複数の結合片に枝分かれされており、前記一方側の結合片及び又は前記他方側の結合片に前記面ファスナーが取り付けられていることを特徴とする請求項３に記載の筋肉ストレッチ用バンド。
【請求項５】
前記ベルト本体の両端部は、ベルト本体に形成された係止孔に係止される係止部を備えた結合部材が取り付けられていることを特徴とする請求項１又は２に記載の筋肉ストレッチ用バンド。
【請求項６】
前記ベルト本体の両端部には、装着時に前記着座者の肋骨部分への接触を低減するための切り込み部が形成されていることを特徴とする請求項１乃至５のいずれか１つの項に記載の筋肉ストレッチ用バンド。
【請求項７】
前記ベルト本体の両端部の内側には、装着時に前記着座者の心窩部付近に接触するためのパット部が取り付けられることを特徴とする請求項１乃至６のいずれか１つの項に記載の筋肉ストレッチ用バンド。
【請求項８】
前記支持部材は、前記着座者が座る椅子の背もたれ部であることを特徴とする請求項１乃至７のいずれか１つの項に記載の筋肉ストレッチ用バンド。
【発明の詳細な説明】
【技術分野】
【０００１】
本発明は、筋肉ストレッチ用バンドに関し、特に、着座した状態で椅子の背もたれ部等の支持部材に支持して腹筋と背筋のストレッチを行うことが可能な筋肉ストレッチ用バンドに関する。
【背景技術】
【０００２】
一般に、人体の背部の背筋側では、椅子やソファの背もたれ部に寄りかかる等日常の生活を通じて、負荷がかかることが多く主動筋として緊張しており、一方、人体の腹部の背筋側では、負荷がかかることが少なく相対的に拮抗筋として弛緩している。
【０００３】
そのため、腹筋と背筋の筋力のバランスが悪くなり、猫背になりやすく、肩こりや頭痛の原因になったり、呼吸器その他の内蔵に悪影響を及ぼしやすくなる。
【０００４】
そこで、例えば腹筋に負荷を与えるために、うつ伏せの状態から腕を伸ばして体をそらせる状態を繰り返すストレッチ体操を行うことが知られていた（以下、この技術を従来例１という）。
【０００５】
また、特許文献１には、図１０に示すように、着座者Ｔの臀部を下方から支える座部１００と、着座者Ｔの腰部を背後から支える背もたれ部１０１とを備え、座部１００を前方下方に傾斜できるようにすると共に、腹部を前方から支える腹部支持バンド１０２により、前方下方に傾斜した座部に腰掛けたときの身体の前滑りを防止する椅子１０３が提案されている。この椅子１０３によれば、腰掛けた時、自然に背筋が伸びると共に、腰掛けた姿勢を楽に保持することができる、としている（以下、この技術を従来例２という）。
【０００６】
さらに、特許文献２には、伸縮性素材からなり、両端部を面ファスナーで接着することにより、腰部に巻き付け固定する腰部固定用コルセットが提案されている。この腰部固定用コルセットによれば、腹直筋下部を加圧、収縮させることにより、筋肉の免荷を図ることができる、としている（以下、この技術を従来例３という）。
【特許文献１】特開平１０−１４６２４１号公報
【特許文献２】実用新案登録第３００６９５７号公報
【発明の概要】
【発明が解決しようとする課題】
【０００７】
従来例１では、ストレッチ体操が自己の強い意思を持って行う必要のある運動であるため、ストレッチ体操に飽きたり、つらい場合には長続きしないという課題があった。
【０００８】
また、他の作業を行いながら行うことが困難であるという課題があった。
【０００９】
さらに、全身を使う体操のため、体力を必要とするという課題があった。
【００１０】
従来例２では、姿勢を保持させるために腹筋側と背筋側の両側から同時に負荷をかけており、背筋側に空間部（隙間）がないため身体が固定されてしまい、あまりストレッチ効果が得られないという課題があった。
【００１１】
従来例３では、腰部に巻き付け固定しており、腹筋側と背筋側の両側から同時に負荷をかけており、背筋側に空間部（隙間）がないため身体が固定されてしまい、あまりストレッチ効果が得られないという課題があった。
【００１２】
本発明は、上記課題を上記課題を解決するためになされたものであり、着座した状態で他の作業を行いながらストレッチを行うことができ、体力を必要とせず、腹筋側を主動筋として緊張させ、背筋側を拮抗筋として弛緩させて筋力のバランスを回復させることができる筋肉ストレッチ用バンドを提供することを目的とする。
【課題を解決するための手段】
【００１３】
本発明の筋肉ストレッチ用バンドは、
長手方向に延びて形成されたベルト本体の両端部を着脱可能に結合される筋肉ストレッチ用バンドであって、
前記ベルト本体は、着座者の背部に沿って所定の間隔を隔てて設置された支持部材に支持され、前記ベルト本体の両端部の結合部分が前記着座者の心窩部付近に接触した状態で装着され、
前記ベルト本体の少なくとも裏面は、前記支持部材に接触する一部又は全部に滑り止め部材が被覆されている、
ことを特徴とするものである。
【００１４】
前記ベルト本体は、全体が長手方向に伸縮可能な材質で作られていてもよい。
【００１５】
前記ベルト本体の両端部の一方又は他方に面ファスナーが取り付けられていてもよい。
【００１６】
前記ベルト本体の両端部の一方及び又は他方は複数の結合片に枝分かれされており、前記一方側の結合片及び又は前記他方側の結合片に前記面ファスナーが取り付けられていてもよい。
【００１７】
前記ベルト本体の両端部は、ベルト本体に形成された係止孔に係止される係止部を備えた結合部材が取り付けられていてもよい。
【００１８】
前記ベルト本体の両端部には、装着時に前記着座者の肋骨部分への接触を低減するための切り込み部が形成されていてもよい。
【００１９】
前記ベルト本体の両端部の内側には、装着時に前記着座者の心窩部付近に接触するためのパット部が取り付けられていてもよい。
【００２０】
前記支持部材は、前記着座者が座る椅子の背もたれ部であってもよい。
【発明の効果】
【００２１】
本発明によれば、次のような効果を奏する。
【００２２】
（１）着座者の背部と支持部材との間に空間があり、ベルト本体の両端部の結合部分が着座者の心窩部（みぞおち）付近に接触した状態で装着されるので、腹筋側を主動筋として緊張させ、背筋側を拮抗筋として弛緩させて、日常の生活でかかる負荷の状態と逆の状態にすることにより、筋力のバランスを回復させることができる。
【００２３】
（２）着座者の尻部と支持部材との間に空間があるので、骨盤を動かしてストレッチを行うことができる。
【００２４】
（３）着座した状態で読書、学習等他の作業を行いながらストレッチを行うことができる。
【００２５】
（４）自己の強い意思を持って行う必要がそれほどなく、体力も必要としないので、飽きたり、つらいこともなく長続きしてストレッチを行うことができる。
【００２６】
（５）椅子の背もたれ部のような支持部材があれば使用できるので、特殊な椅子や器具を用いることなく、簡易かつ安価でストレッチを行うことができる。
【図面の簡単な説明】
【００２７】
【図１】（Ａ）は本発明の実施形態例に係る筋肉ストレッチ用バンドを示す表面図、（Ｂ）はその裏面図である。
【図２】本発明の実施形態例に係る筋肉ストレッチ用バンドを椅子の背もたれ部に支持して使用している状態を示す斜視図である。
【図３】本発明の実施形態例に係る筋肉ストレッチ用バンドを椅子の背もたれ部に支持して使用している状態を示す背面図である。
【図４】本発明の他の実施形態例に係る筋肉ストレッチ用バンドを示す斜視図である。
【図５】（Ａ）は本発明の他の実施形態例に係る筋肉ストレッチ用バンドの結合片を示す詳細図、（Ｂ）はその平面図である。
【図６】本発明の第２の実施形態例に係る筋肉ストレッチ用バンドの装着状態の例を示す説明図である。
【図７】（Ａ）〜（Ｄ）はパット部の例を示す斜視図である。
【図８】（Ａ）及び（Ｃ）は本発明のさらに他の実施形態例に係る筋肉ストレッチ用バンドの変形例を示す裏面図、（Ｂ）は本発明のさらに他の実施形態例に係る筋肉ストレッチ用バンドの変形例を示す平面図である。
【図９】本発明の他の実施形態例に係る筋肉ストレッチ用バンドの結合部材を示す側面一部断面図である。
【図１０】従来例２を説明するための側面図である。
【発明を実施するための最良の形態】
【００２８】
以下、本発明の実施の形態について図面を参照して説明する。図１（Ａ）は本発明の実施形態例に係る筋肉ストレッチ用バンドを示す表面図、（Ｂ）はその裏面図、図２は本発明の実施形態例に係る筋肉ストレッチ用バンドを椅子の背もたれ部に支持して使用している状態を示す斜視図、図３は本発明の実施形態例に係る筋肉ストレッチ用バンドを椅子の背もたれ部に支持して使用している状態を示す背面図である。
【００２９】
図１〜図３に示すように、本発明の実施形態例に係る筋肉ストレッチ用バンド１は、長手方向に延びて形成されたベルト本体２の両端部を着脱可能に結合されるものであり、ベルト本体２は、椅子３の座部３ａに着座している着座者４の背部４ａに沿って所定の間隔を隔てて設置された背もたれ部３ｂ（支持部材）に巻かれて支持され、その両端部の結合部分が着座者４の心窩部（みぞおち）４ｂ付近に接触した状態で装着される。
【００３０】
なお、支持部材として椅子３の背もたれ部３ｂ以外の部材（例えば棒状の部材等）でもよい。
【００３１】
ベルト本体２は、全体が長手方向に伸縮可能な材質（例えばクロロブレンゴムのような弾力性のあるゴム）で作られていてもよい。
【００３２】
また、ベルト本体２の少なくとも裏面には、支持部材である背もたれ部３ｂに接触する一部又は全部に滑り止め部材２ａが被覆されている。滑り止め部材２ａとしては、例えばポリ塩化ビニル樹脂（ＰＶＣ）で作られ、ポリエステル製の網状の糸芯が内蔵された繊維部材が用いられ、例えば商品「止まるんです（株式会社カーボーイ社製）」が用いられるのが好ましい。滑り止め部材２ａに糸芯が内蔵されているので強く引っ張っても切れることがない。
【００３３】
なお、ベルト本体２は、全体が滑り止め部材２ａで形成されていてもよい。
【００３４】
さらに、ベルト本体２の表面の両端部の一方又は他方（図１（Ａ）では右端部）には面ファスナー５（雄ファスナー）が取り付けられ、ベルト本体２の裏面には面ファスナー５に着脱可能に係合するナイロン等のようなファスナー係合面２ｂ（雌ファスナーを構成する柔らかい毛羽状の布）が形成されている。
【００３５】
本発明の実施形態例に係る筋肉ストレッチ用バンド１によれば、着座者４の背部４ａと支持部材である背もたれ部３ｂとの間に空間があり、ベルト本体２の両端部の結合部分が着座者４の心窩部（みぞおち）４ｂ付近に接触した状態で装着されるので、腹筋側を主動筋として緊張させ、背筋側を拮抗筋として弛緩させて、日常の生活でかかる負荷の状態と逆の状態にすることにより、筋力のバランスを回復させることができる。
【００３６】
また、着座者４の尻部が支持部材である背もたれ部３ｂとの間に空間があるので、骨盤を動かしてストレッチを行うことができる。
【００３７】
また、着座した状態で読書、学習等他の作業を行いながらストレッチを行うことができる。
【００３８】
また、自己の強い意思を持って行う必要がそれほどなく、体力も必要としないので、飽きたり、つらいこともなく長続きしてストレッチを行うことができる。
【００３９】
さらに、椅子３の背もたれ部３ｂのような支持部材があれば使用できるので、特殊な椅子や器具を用いることなく、簡易かつ安価でストレッチを行うことができる。
【００４０】
図４は本発明の他の実施形態例に係る筋肉ストレッチ用バンドを示す斜視図、図５（Ａ）は本発明の他の実施形態例に係る筋肉ストレッチ用バンドの結合片を示す詳細図、（Ｂ）はその平面図である。
【００４１】
図４〜図５に示すように、本発明の他の実施形態例に係る筋肉ストレッチ用バンド２０では、ベルト本体２の両端部の一方及び又は他方が複数（この実施形態例では一方及び他方にそれぞれ２つ）の結合片６に枝分かれされている。
【００４２】
一方側の結合片６及び他方側の結合片６の対向面のうち一側には面ファスナー６ｂ（雄ファスナー）が取り付けられており、面ファスナー６ｂが取り付けられていない他側は面ファスナー６ｂに結合するファスナー結合面（雌ファスナーを構成する柔らかい毛羽状の布）となって互いに結合できるように配置されている（図５（Ｂ）参照）。これによって、ベルト本体２の両端部の結合が強化され、外れにくくなる。
【００４３】
また、ベルト本体２の両端部の結合片６には、装着時に着座者４の肋骨部分への接触を低減するための切り込み部６ａが形成されている（図５（Ａ）参照）。これによって、特に高齢者の使用時に肋骨部分が損傷したり骨折することを防止できる。切り込み部６ａは、ベルト本体２の幅よりも先端に向かって１／２〜２／３程度先細になるように形成されている。
【００４４】
図６は本発明の他の実施形態例に係る筋肉ストレッチ用バンドの装着状態の例を示す説明図である。
【００４５】
図６に示すように、ベルト本体２の先端部に切り込み部６ａが形成されているので、斜めに結合することが可能となる。これによって、着座者４の体型に応じてベルト本体２の長さを適宜調整することが可能となる。
【００４６】
ベルト本体２の両端部の最内側の結合片６には、装着時に着座者４の心窩部（みぞおち）４ｂ付近に接触するためのパット部７が取り付けられていてもよい（図５（Ｂ）参照）。このパット部７により肋骨部分への接触を低減することが可能となる。パット部７はベルト本体２の両端部に設けられた面ファスナー６ｂ等で取り付けられる。パット部７としては、例えばポリ塩化ビニル樹脂（ＰＶＣ）で作られ、ポリエステル製の網状の糸芯が内蔵された繊維部材が用いられ、例えば商品「止まるんです（株式会社カーボーイ社製）」が用いられるのが好ましい
図７（Ａ）〜（Ｄ）はパット部７の例を示す斜視図である。
【００４７】
パット部７としては、例えば、円柱状に形成されているもの（図７（Ａ）参照）や四角柱状に形成されているものでもよい（図７（Ｂ）参照）。
【００４８】
また、他のパット部７として、気体入り口部７ａから空気等の気体を入れて円柱状に膨らませて構成されるもの（図７（Ｃ）参照）や、四角柱状に膨らませて構成されるものでもよい（図７（Ｄ）参照）。
【００４９】
図８（Ａ）及び（Ｃ）は本発明のさらに他の実施形態例に係る筋肉ストレッチ用バンドの変形例を示す裏面図、（Ｂ）は本発明のさらに他の実施形態例に係る筋肉ストレッチ用バンドの変形例を示す平面図である。
【００５０】
本発明のさらに他の実施形態例に係る筋肉ストレッチ用バンド３０では、ベルト本体２の両端部を蝶結び等で結ぶことにより結合するものである。
【００５１】
例えば図８（Ａ）に示す筋肉ストレッチ用バンド３０では、ベルト本体２の両端部の裏面には結んだときに引っ掛けやすいように凸部２０ａが間隔を隔てて形成されている。
【００５２】
図８（Ｂ）に示す筋肉ストレッチ用バンド３０では、ベルト本体２の両端部が中間部よりも厚く形成されている。これによって、両端部を結んだときに厚くなるため、装着時に着座者４の肋骨部分への接触を低減できる。
【００５３】
図８（Ｃ）に示す筋肉ストレッチ用バンド３０では、ベルト本体２の両端部がヘ字状に折れ曲がっているので、結びやすくなる。
【００５４】
図９は本発明の他の実施形態例に係る筋肉ストレッチ用バンドの結合部材を示す側面一部断面図である。
【００５５】
図９に示す筋肉ストレッチ用バンド４０のベルト本体２の両端部は、ベルト本体２に形成された係止孔８に係止される係止部９を備えたバックル状の結合部材１０が取り付けられている。係止孔８は複数形成されていてもよく、これによって着座者４の体型に応じてベルト本体２の長さを適宜調整することが可能となる。
【００５６】
なお、結合部材１０の表面には、装着時に着座者４の心窩部（みぞおち）４ｂ付近に接触するためのパット部７が面ファスナー等により取り付けられてもよい。
【００５７】
本発明は、上記実施の形態に限定されることはなく、特許請求の範囲に記載された技術的事項の範囲内において、種々の変更が可能である。
【産業上の利用可能性】
【００５８】
本発明の筋肉ストレッチ用バンド１は、着座した状態で椅子３の背もたれ部３ｂ等の支持部材に支持して腹筋と背筋のストレッチを行うために用いられる。
【符号の説明】
【００５９】
１：筋肉ストレッチ用バンド
２：ベルト本体
２ａ：滑り止め部材
２ｂ：ファスナー係合面
３：椅子
３ａ：座部
３ｂ：背もたれ部（支持部材）
４：着座者
４ａ：背部
４ｂ：心窩部（みぞおち）
５：面ファスナー
６：結合片
６ａ：切り込み部
６ｂ：面ファスナー
７：パット部
７ａ：気体入り口部
８：係止孔
９：係止部
１０：結合部材
２０：筋肉ストレッチ用バンド
３０：筋肉ストレッチ用バンド
４０：筋肉ストレッチ用バンド
【図１】
2014018590.tif 000003
【図２】
2014018590.tif 000004
【図３】
2014018590.tif 000005
【図４】
2014018590.tif 000006
【図５】
2014018590.tif 000007
【図６】
2014018590.tif 000008
【図７】
2014018590.tif 000009
【図８】
2014018590.tif 000010
【図９】
2014018590.tif 000011
【図１０】
2014018590.tif 000012
【手続補正書】
【提出日】平成24年9月21日(2012.9.21)
【手続補正１】
【補正対象書類名】特許請求の範囲
【補正対象項目名】全文
【補正方法】変更
【補正の内容】
【特許請求の範囲】
【請求項１】
長手方向に延びて形成されたベルト本体の両端部を着脱可能に結合される筋肉ストレッチ用バンドであって、
前記ベルト本体は、着座者の背部に沿って所定の間隔を隔てて設置された支持部材に巻かれて支持され、前記ベルト本体の両端部の結合部分が前記着座者の心窩部付近に接触した状態で装着され、
前記ベルト本体の少なくとも裏面は、前記支持部材に接触する一部又は全部に滑り止め部材が被覆され、
前記ベルト本体の両端部の一方又は他方に面ファスナーが取り付けられており、
前記ベルト本体の両端部には、装着時に前記着座者の肋骨部分への接触を低減するための切り込み部が形成され、
前記切り込み部は、前記ベルト本体の幅が先端に向かって先細になるように形成されている、
ことを特徴とする筋肉ストレッチ用バンド。
【請求項２】
前記ベルト本体は、全体が長手方向に伸縮可能な材質で作られていることを特徴とする請求項１に記載の筋肉ストレッチ用バンド。
【請求項３】
前記ベルト本体の両端部の一方及び又は他方は複数の結合片に枝分かれされており、前記一方側の結合片及び又は前記他方側の結合片に前記面ファスナーが取り付けられていることを特徴とする請求項１又は２に記載の筋肉ストレッチ用バンド。
【請求項４】
前記ベルト本体の両端部の内側には、装着時に前記着座者の心窩部付近に接触するためのパット部が取り付けられることを特徴とする請求項１乃至３のいずれか１つの項に記載の筋肉ストレッチ用バンド。
【請求項５】
前記支持部材は、前記着座者が座る椅子の背もたれ部であることを特徴とする請求項１乃至４のいずれか１つの項に記載の筋肉ストレッチ用バンド。